(57)【要約】【課題】転送メール等で、メールヘッダの差出人が実際のメール発信者と異なる場合であってもメール発信者関連情報を抽出することを目的とする。【解決手段】差出人名を含むメールヘッダとメール本文とを有する電子メールを受信する手段と、文書解析手段と、電話帳と、電話帳検索手段とを有する情報端末であって、該情報端末は、予め指定差出人登録を受付けて保持し、電話帳は、発信者識別情報、および発信者関連情報を保持し、文書解析手段は、電子メール受信手段が受信した電子メールのヘッダ中の差出人が登録した指定差出人と一致した場合は、メール本文を解析してメール発信者識別情報を抽出し、電話帳検索手段は、該抽出した発信者識別情報に基づき電話帳を検索して発信者関連情報を抽出することを特徴とする。【選択図】      図１
2004172663.tif 000002
【特許請求の範囲】
【請求項１】
差出人名を含むメールヘッダとメール本文とを有する電子メールを受信する手段と、文書解析手段と、電話帳と、電話帳検索手段とを有する情報端末であって、
該情報端末は、予め指定差出人登録を受付けて保持し、
電話帳は、発信者識別情報、および発信者関連情報を保持し、
文書解析手段は、電子メール受信手段が受信した電子メールのヘッダ中の差出人が登録した指定差出人と一致した場合は、メール本文を解析してメール発信者識別情報を抽出し、
電話帳検索手段は、該抽出した発信者識別情報に基づき電話帳を検索して発信者関連情報を抽出することを特徴とする情報端末。
【請求項２】
差出人名を含む電子メールを受信する手段と、文書解析手段と、電話帳と、電話帳検索手段とを有する情報端末であって、
該情報端末は、予め指定差出人登録を受付けて保持し、
電話帳は、発信者識別情報、および該発信者関連情報を保持し、
文書解析手段は、電子メール受信手段が受信した電子メールの差出人が登録した指定差出人と一致した場合は、電子メール受信手段が受信した電子メールを解析してメール発信者情報識別を抽出し、
電話帳検索手段は、該抽出した発信者識別情報に基づき電話帳を検索して発信者関連情報を抽出することを特徴とする情報端末。
【請求項３】
メールヘッダとメール本文とを含む電子メールを受信する手段と、文書解析手段と、電話帳と、電話帳検索手段とを有する情報端末であって、
電話帳は、発信者識別情報、および発信者関連情報を保持し、
文書解析手段は、電子メール受信手段が受信したメール本文を解析してメール発信者識別情報を抽出し、
電話帳検索手段は、該抽出した発信者識別情報に基づき電話帳を検索して発信者関連情報を抽出することを特徴とする情報端末。
【発明の詳細な説明】
【０００１】
【発明の属する技術分野】
本発明は、受信した電子メールから電子メールの発信者関連情報を抽出する情報端末に関する。
【０００２】
【従来の技術】
インターネットの及に伴い、電子メールを含む、インターネットを使いやすくするための様々な工夫がなされている。
受信した電子メールは一般に、メールヘッダとメール本文とを含む。通常、メールヘッダは、タイトル、メールの差出人等の発信者情報を含む所定の形式を有し、データ量が少ない。一方メール本文は、メールによってデータ量が変化し、場合によっては長文となり、メール受信／表示に長時間を要する。
【０００３】
したがって、電子メールを受信した場合、携帯電話等の情報端末は、即座にはメール本文を表示せず、データ量の少ないメールヘッダからタイトル、メール差出人等を抽出し、簡単なメールヘッダ画面として表示する。
情報端末でメールを受信した場合、受信者は、メールヘッダ画面でタイトル、メール差出人等を確認し、必要に応じて本文表示操作を行ってメール本文画面を表示する。
【０００４】
これは、不要なメールの本文は読まないことを可能とする一方で、読みたいメール本文については、さらに読み取り表示する操作を必要とし、受信メールを即座に読みたい場合には煩わしいものとなる。
このようなメールを読む操作を簡略化するため、メール受信時のメールヘッダ画面表示を省略し、直ぐにメール本文を表示するようにした携帯電話機におけるメール読取り方法及び該メール読取り方法を用いた携帯電話機が開示されている（特許文献１参照）。
【０００５】
一方、インターネット上での画像データの転送において、データ量の非常に大きな画像（データ）、したがって、転送に長時間を要する画像データを直接受信者に転送せず、データ量が小さくて済む、画像データを保存した場所を受信者に通知し、受信者側から都合のよい端末で引き取ってもらう、画像通信装置が開示されている（特許文献２参照）。
【０００６】
【特許文献１】
特開２００１−２４５０２５
【０００７】
【特許文献２】
特開２００２−１３２６８２
また、画像データと文書とを転送処理する際のシステム的な工夫が開示されている（非特許文献１：ＮＴＴＤｏＣｏＭｏ；ｉショット参照）。
【０００８】
【非特許文献１】
ＮＴＴＤｏＣｏＭｏ（製品サービス紹介）：ｉショット〔平成１４年９月５日検索〕、インターネット＜ＵＲＬ：ｈｔｔｐ：／／ｗｗｗ．ｎｔｔｄｏｃｏｍｏ．ｃｏ．ｊｐ／ｍｃ−ｕｓｅｒ／ｉ／ｉｓｈｏｔ．ｈｔｍｌ  ＞
図５は当該システム例の概要を示す。また、当該システムの利用者（発信者）が携帯電話５１から画像添付のメール５３を発信し、受信者が携帯電話５２で受信する場合の画面表示例を、図６に示す。
【０００９】
発信者は、電話番号「０９０ＸＸＸＸＸＸＸＸ」の携帯電話５１から、受信者の、電話番号「０９０ＹＹＹＹＹＹＹＹ」の携帯電話５２を指定し、図６−１）に示すメール５３本文、例えば「友達の写真を送ります。」、あるいは、図６−１’）に示すメール５３の本文、「田中です。友達の写真を送ります。」と、添付画像５４とを画像センター５５に送信する。
【００１０】
画像センター５５は、送信されてきた（データ量の大きな）添付画像５４を、例えば、ＵＲＬ「ｈｔｔｐ：／／ｗｗｗ．ｉｍｇ．ｃｏｍ／ｐｉｃ１  」に保存すると共に、メール本文中に「０９０ＸＸＸＸＸＸＸＸさんからのメールです。」と、画像を保存したＵＲＬ「ｈｔｔｐ：／／ｗｗｗ．ｉｍｇ．ｃｏｍ／ｐｉｃ１  」とを追加し、メール５３’としてメールセンター５６に送信する。
【００１１】
メールセンター５６は、メール５３’と、メールのヘッダー情報とを受信し、受信した情報を基に、メール５３’の差出人を画像センター５５のアドレス「ｐ−ｓｅｒｖｅｒ＠ｉｍｇ．ｃｏｍ」とし、メール５３’を受信者の携帯電話５２に送信する。
メール５３’を受信した携帯電話５２は、受信日時Ｄ、差出人Ｆ、サブジェクトＳｕｂ等のメールヘッダ情報を図６−２）に示すごとく表示する。
【００１２】
受信者が、メールヘッダを確認してメール５３’の本文を開くと、図６−３）に示す本文が表示される。受信者は、本文に追加されたＵＲＬ「ｈｔｔｐ：／／ｗｗｗ．ｉｍｇ．ｃｏｍ／ｐｉｃ１  」を確認した上で当該ＵＲＬにアクセスし、添付画像５４を受信する。
しかし、図６−２）に示す如く、携帯電話５２がメール５３’を受信した際に表示するメールヘッダ情報の差出人Ｆは、本来表示されるべき発信者を識別するための情報、すなわち携帯電話５１の電話番号「０９０ＸＸＸＸＸＸＸＸ」ではなく、画像センター５５「ｐ−ｓｅｒｖｅｒ＠ｉｍｇ．ｃｏｍ」となるため、受信者は発信者を識別することができず、メールを開いても良いのか判断できないという問題がある。
【００１３】
また、メールの発信者が不明なまま、受信者がメール本文を開いても、図６−１）に示す如く、発信者がメール５３の本文に、発信者名等の、発信者を識別するための情報を記載しなかった場合には、図６−３）に示すごとく発信者の情報として電話番号「０９０ＸＸＸＸＸＸＸＸ」しか知り得ない。したがって受信者がメール本文を開いても、にわかには発信者を特定できず、さらに：データ量が大きいと思われる添付画像５４を受信する必要があるのかいなか、判断できないという問題がある。
【００１４】
【発明が解決しようとする課題】
本発明は、転送メール等で、メールヘッダの差出人が実際のメール発信者と異なる場合であってもメール発信者関連情報を抽出することを目的とする。
【００１５】
【課題を解決するための手段】
本発明は、差出人名を含むメールヘッダとメール本文とを有する電子メールを受信する手段と、文書解析手段と、電話帳と、電話帳検索手段とを有する情報端末であって、該情報端末は、予め指定差出人登録を受付けて保持し、電話帳は、発信者識別情報、および発信者関連情報を保持し、文書解析手段は、電子メール受信手段が受信した電子メールのヘッダ中の差出人が登録した指定差出人と一致した場合は、メール本文を解析してメール発信者識別情報を抽出し、電話帳検索手段は、該抽出した発信者識別情報に基づき電話帳を検索して発信者関連情報を抽出することを特徴とする。
【００１６】
これにより、メール転送サーバ等を経由した電子メールの如く、メール差出人がメールの発信者と異なる場合であっても、登録したメール転送サーバ等の指定差出人から受信した電子メールについては、メール本文を解析し、メール本文中にメール発信者の電話番号等の識別情報があれば、メール本文中からメール発信者の氏名等の発信者関連情報を抽出できるため、電子メール受信者は、メール発信者を特定することが可能となる。
【００１７】
また、差出人名を含む電子メールを受信する手段と、文書解析手段と、電話帳と、電話帳検索手段とを有する情報端末であって、該情報端末は、予め指定差出人登録を受付けて保持し、電話帳は、発信者識別情報、および該発信者関連情報を保持し、文書解析手段は、電子メール受信手段が受信した電子メールの差出人が登録した指定差出人と一致した場合は、電子メール受信手段が受信した電子メールを解析してメール発信者情報識別を抽出し、電話帳検索手段は、該抽出した発信者識別情報に基づき電話帳を検索して発信者関連情報を抽出するとしてもよい。
【００１８】
これにより、メール転送サーバ等を経由した電子メールの如く、メール差出人がメールの発信者と異なる場合であっても、登録したメール転送サーバ等の指定差出人から受信した電子メールについては、受信した電子メールを解析し、メール発信者の電話番号等の識別情報があれば、受信したメールからメール発信者の氏名等の発信者関連情報を抽出できるため、電子メール受信者は、メール発信者を特定することが可能となる。
【００１９】
また、メールヘッダとメール本文とを含む電子メールを受信する手段と、文書解析手段と、電話帳と、電話帳検索手段とを有する情報端末であって、電話帳は、発信者識別情報、および発信者関連情報を保持し、文書解析手段は、電子メール受信手段が受信したメール本文を解析してメール発信者識別情報を抽出し、電話帳検索手段は、該抽出した発信者識別情報に基づき電話帳を検索して発信者関連情報を抽出するとしてもよい。
【００２０】
これにより、受信した電子メールの差出人如何にかかわらずメール本文を解析し、メール本文中にメール発信者の電話番号等の識別情報があれば、メール本文中からメール発信者の氏名等の発信者関連情報を抽出できるため、電子メール受信者は、メール発信者を特定することが可能となる。
【００２１】
【発明の実施の形態】
図１は、図５に示すシステムで用いるメール受信者の電話機５２として、本発明を適用して構成する実施例を示す。図５に示すシステムは、前述のごとく、メール本文中に発信者の識別情報としての電話番号＊＊＊＊＊＊＊＊＊＊＊を、「＊＊＊＊＊＊＊＊＊＊＊さんからのメールです。」と追加するものとする。本実施例で文書メールを受信した携帯電話機の動作概要を図２に、画面の表示例１を図３に示す。
【００２２】
予め、電話帳１３には、個人の、すなわち発信者識別情報としての電話番号と、対応する当該個人の関連情報、例えば氏名、メール番号等とを登録する。
メール受信手段１１は、予め指定差出人登録を受付けて保持し、電子メールを受信すると（図２−Ｓ２１）、受信した電子メールの差出人を判定し（図２−Ｓ２２）、差出人がが登録した指定差出人（この例では、画像センター５５：ｐ−ｓｅｒｖｅｒ＠ｉｍｇ．ｃｏｍ）と一致した場合に、メール本文を文書解析手段１２に送り、不一致の場合は、メールヘッダ画面表示に進む。
【００２３】
なお、差出人判定処理（Ｓ２２）を省略し、差出人の如何にかかわらず、受信メールの本文を文書解析手段１２に送るとしてもよい。
文書解析手段１２は、図３に示す如く、メール５３’本文中に差出人として追加された「０９０ＸＸＸＸＸＸＸＸさんからのメールです。」の部分から電話番号「０９０ＸＸＸＸＸＸＸＸ」を抽出し、電話帳検索手段１４に送る（図２−Ｓ２３）。
【００２４】
電話帳検索手段１４は、電話番号「０９０ＸＸＸＸＸＸＸＸ」をもとに電話帳１３を検索し、例えば「田中」を抽出し、メールの発信者「田中」を特定する（図２−Ｓ２４）。
ここで特定したメールの発信者を、図６で差出人Ｆとして表示されている「ｐ−ｓｅｒｖｅｒ＠ｉｍｇ．ｃｏｍ」に替えて「田中」とし、表示手段１５にメールヘッダ画面を表示する（図２−Ｓ２５、表示例：図３−ａ）２．）。
【００２５】
受信者は、メールの発信者が「田中」さんであることを確認し、必要に応じてメール本文を開き、メール本文に追加されたＵＲＬ：「ｈｔｔｐ：／／ｗｗｗ．ｉｍｇ．ｃｏｍ／ｐｉｃ１  」にアクセスして添付画像５４を受信する。
なお、電話帳に「０９０ＸＸＸＸＸＸＸＸ」が登録されていなかった場合は、図３−ｂ）２．に示すごとく、「登録無し」と表示するようにしてもよい。
【００２６】
また、さらに電話機５２に情報抽出指示手段を追加し、情報抽出指示手段が操作された場合に発信者識別情報、および発信者関連情報の抽出を行うようにしても良い。例えば、メール受信時は、図４−ａ）１．に示すごとく表示し、図４−ａ）２．に示すごとく、メール本文に発信者を特定する他の情報が記載されておらず、メールを開いて「０９０ＸＸＸＸＸＸＸＸさんからのメールです。」と表示され、にわかには発信者がわからなかった場合に、受信者は電話機５２の情報抽出指示手段を操作する。これにより、電話機５２は、電話番号を抽出し、さらに発信者関連情報を抽出して、図４−ｂ）１．に示すごとく表示するとしても良い。
【００２７】
本実施例は、メール本文中に発信者の電話番号が追加される場合であって、文書解析手段１２は、追加された電話番号を基に発信者関連情報を抽出する場合について説明した。しかし、例えばメールアドレス等の発信者識別情報がメールヘッダ等を含めた電子メールに追加される場合には、電話帳に当該識別情報と関連個人情報とを登録するものとし、文書解析手段１２は、電子メールから当該情報を抽出するとしてもよい。
【００２８】
（付記１）差出人名を含むメールヘッダとメール本文とを有する電子メールを受信する手段と、文書解析手段と、電話帳と、電話帳検索手段とを有する情報端末であって、該情報端末は、予め指定差出人登録を受付けて保持し、電話帳は、発信者識別情報、および発信者関連情報を保持し、文書解析手段は、電子メール受信手段が受信した電子メールのヘッダ中の差出人が登録した指定差出人と一致した場合は、メール本文を解析してメール発信者識別情報を抽出し、電話帳検索手段は、該抽出した発信者識別情報に基づき電話帳を検索して発信者関連情報を抽出することを特徴とする情報端末。
【００２９】
（付記２）差出人名を含む電子メールを受信する手段と、文書解析手段と、電話帳と、電話帳検索手段とを有する情報端末であって、該情報端末は、予め指定差出人登録を受付けて保持し、電話帳は、発信者識別情報、および該発信者関連情報を保持し、文書解析手段は、電子メール受信手段が受信した電子メールの差出人が登録した指定差出人と一致した場合は、電子メール受信手段が受信した電子メールを解析してメール発信者情報識別を抽出し、電話帳検索手段は、該抽出した発信者識別情報に基づき電話帳を検索して発信者関連情報を抽出することを特徴とする情報端末。
【００３０】
（付記３）メールヘッダとメール本文とを含む電子メールを受信する手段と、文書解析手段と、電話帳と、電話帳検索手段とを有する情報端末であって、電話帳は、発信者識別情報、および発信者関連情報を保持し、文書解析手段は、電子メール受信手段が受信したメール本文を解析してメール発信者識別情報を抽出し、電話帳検索手段は、該抽出した発信者識別情報に基づき電話帳を検索して発信者関連情報を抽出することを特徴とする情報端末。
【００３１】
（付記４）表示手段を備えた付記１、あるいは付記２、あるいは付記３に記載の情報端末であって、電話帳検索手段が発信者関連情報を抽出した場合は、当該情報を表示手段に表示することを特徴とする情報端末。
これにより、電子メールの受信者は、表示手段上でメール差出人を確認することが可能となる。
【００３２】
（付記５）付記４に記載の情報端末であって、抽出した発信者関連情報を、メール差出人情報と置き換えて表示することを特徴とする情報端末。
これにより、電子メールの受信者は、表示手段上の差出人表示の部分でメール差出人を確認することが可能となる。
（付記６）付記１、あるいは付記２、あるいは付記３に記載の情報端末であって、情報抽出指示手段を備え、情報抽出指示手段が操作された場合に発信者識別情報、および発信者関連情報の抽出を行うことを特徴とする情報端末。
【００３３】
これにより、受信者が情報抽出の要、不要を指示することが可能となり、不要な情報抽出処理を省略することができる。
（付記７）音声出力手段を備えた付記１、あるいは付記２、あるいは付記３に記載の情報端末であって、電話帳検索手段が発信者関連情報を抽出した場合は、当該情報を音声出力手段により音声として読み上げることを特徴とする情報端末。
【００３４】
これにより、電子メールの受信者は、音声でメール差出人を確認することが可能となる。
（付記８）予め指定差出人登録を受付けて保持し、発信者識別情報、および該発信者関連情報を保持する電話帳を備え、差出人名を含むメールヘッダとメール本文とを有する電子メールを受信し、受信した電子メールのヘッダ中の差出人が登録した指定差出人と一致した場合は、受信したメール本文を解析してメール発信者識別情報を抽出し、該抽出した発信者識別情報に基づき電話帳を検索して発信者関連情報を抽出することを特徴とする、メール発信者関連情報抽出方法。
【００３５】
（付記９）発信者識別情報、および該発信者関連情報を保持する電話帳を備え、指定差出人登録を受付けて保持するステップと、差出人名を含むメールヘッダとメール本文とを有する電子メールを受信するステップと、受信した電子メールのヘッダ中の差出人が登録した指定差出人と一致した場合は、受信したメール本文を解析してメール発信者の識別情報を抽出する文書解析ステップと、該抽出した発信者識別情報に基づき電話帳を検索して発信者関連情報を抽出する電話帳検索ステップとを有することを特徴とする、メール発信者関連情報抽出プログラム。
【００３６】
【発明の効果】
以上説明したごとく、本発明により、電子メールの差出人がメール転送サーバ等となっている電子メール、すなわち、メール差出人がメールの発信者と異なる電子メールの場合であっても、メール転送サーバ等を指定差出人として登録することで発信者関連情報を抽出するため、電子メール受信者は、メール発信者を特定することが可能となる。
【００３７】
さらに、登録したメール転送サーバ等の指定差出人から受信した電子メールについては、メール差出人がメールの発信者と異なる場合であっても、受信した電子メールを解析し、メール発信者の電話番号等の識別情報があれば、受信したメールからメール発信者の氏名等の発信者関連情報を抽出できるため、電子メール受信者は、メール発信者を特定することが可能となる。
【００３８】
また、受信した電子メールの差出人如何にかかわらずメール本文を解析することで、上記と同様にして、電子メール受信者は、メール発信者を特定することが可能となる。
【図面の簡単な説明】
【図１】本発明の構成例
【図２】動作概要
【図３】本発明による表示例１
【図４】本発明による表示例２
【図５】従来の画像添付のメールシステム例
【図６】従来の画像添付のメールシステムの画面表示例
【符号の説明】
１１  メール受信手段
１２  文書解析手段
１３  電話帳
１４  電話帳検索手段
５１、５２  携帯電話
５３、５３’  メール
５４  添付画像
５５  画像センター
５６  メールセンター
【図１】
2004172663.tif 000003
【図２】
2004172663.tif 000004
【図３】
2004172663.tif 000005
【図４】
2004172663.tif 000006
【図５】
2004172663.tif 000007
【図６】
2004172663.tif 000008